(57)【要約】【課題】ユーザに調整項目の設定値を容易に設定させることができる印刷制御装置を提供する。【解決手段】印刷制御装置１０１は、プリントエンジン２０７に関する複数の調整項目のうちお気に入り登録された調整項目を表示装置１１０に表示する。【選択図】図１１
2020111019.tif 000002
【特許請求の範囲】
【請求項１】
プリントエンジンによる印刷を制御する印刷制御装置であって、
前記プリントエンジンの複数の調整項目に関する表示を制御する表示制御手段を備え、
前記表示制御手段は、前記複数の調整項目のうちユーザが登録した特定の表示グループの調整項目を表示することを特徴とする印刷制御装置。
【請求項２】
前記表示制御手段は、前記複数の調整項目の中からユーザに調整項目を選択させる際に前記特定の表示グループの調整項目を表示することを特徴とする請求項１記載の印刷制御装置。
【請求項３】
前記表示制御手段は、前記複数の調整項目の中からユーザに調整項目を選択させる画面への切り替えを指示するための指示手段を備える設定画面に前記特定の表示グループの調整項目を表示することを特徴とする請求項１又は２記載の印刷制御装置。
【請求項４】
前記設定画面は、前記印刷に使用する用紙を給紙する給紙手段の設定画面であることを特徴とする請求項３記載の印刷制御装置。
【請求項５】
プリントエンジンによる印刷を制御する印刷制御装置の制御方法であって、
前記プリントエンジンの複数の調整項目に関する表示を制御する表示制御ステップを有し、
前記表示制御ステップは、前記複数の調整項目のうちユーザが登録した特定の表示グループの調整項目を表示することを特徴とする印刷制御装置の制御方法。
【請求項６】
プリントエンジンによる印刷を制御する印刷制御装置の制御方法をコンピュータに実行させるプログラムであって、
前記印刷制御装置の制御方法は、
前記プリントエンジンの複数の調整項目に関する表示を制御する表示制御ステップを有し、
前記表示制御ステップは、前記複数の調整項目のうちユーザが登録した特定の表示グループの調整項目を表示することを特徴とするプログラム。
【発明の詳細な説明】
【技術分野】
【０００１】
本発明は、印刷制御装置及びその制御方法、並びにプログラムに関する。
【背景技術】
【０００２】
プロダクション印刷市場では、薄紙、厚紙、コート紙、及びフィルム等の多種の用紙の印刷を制御する印刷制御装置が使用されている。この印刷制御装置は、用紙を収納する給紙デッキに設定された用紙情報に基づいて用紙の種別を識別する。用紙情報の設定項目には、上記用紙の種別を示す名称、サイズ、坪量といった基本項目、及び印刷条件に応じて設定値が調整される調整項目が含まれる。調整項目は、例えば、転写電圧、画像位置の調整、後端部白抜け補正等の多数の項目を含む。印刷制御装置では、高画質且つ印字精度の高い印刷を実現するために、ユーザが当該多数の項目の中から所望の項目を選択し、選択した項目の設定値を設定する必要があり、手間が掛る。
【０００３】
これに対し、例えば、過去に設定された設定値に基づいて中綴じ位置の設定値が算出される（例えば、特許文献１参照。）。また、用紙の種別毎に調整項目のプリセットの設定値が保存される（例えば、特許文献２参照。）。このようにして、従来の印刷制御装置では、ユーザが調整項目の設定値を容易に設定することができる。
【先行技術文献】
【特許文献】
【０００４】
【特許文献１】特開２０１６−２１５５２６号公報
【特許文献２】特開２００３−２７０８７２号公報
【発明の概要】
【発明が解決しようとする課題】
【０００５】
しかしながら、従来の印刷制御装置では、ユーザが調整項目の設定値を容易に設定することができない場合がある。例えば、過去に設定した設定値が存在しない場合、上述した特許文献１の技術では、ユーザが多数の調整項目の中から所望の調整項目を選択する必要があるので、ユーザが調整項目の設定値を容易に設定することができない。また、挿絵入りの製本印刷において転写電圧、画像位置、及び後端部白抜け補正に関する設定値の調整が重要であるのに対し、文字のみの白黒印刷において上述した設定値の調整は重要視されないことが多い。このように、種別が同じ用紙であってもユースケースに応じて調整が必要な項目が異なる場合、上述した特許文献２の技術では、ユースケースに適した設定値に再度調整するために、ユーザが多数の調整項目の中から所望の調整項目を選択する必要がある。このため、ユーザが調整項目の設定値を容易に設定することができない。
【０００６】
本発明の目的は、ユーザに調整項目の設定値を容易に設定させることができる印刷制御装置及びその制御方法、並びにプログラムを提供することにある。
【課題を解決するための手段】
【０００７】
上記目的を達成するために、本発明の印刷制御装置は、プリントエンジンによる印刷を制御する印刷制御装置であって、前記プリントエンジンの複数の調整項目に関する表示を制御する表示制御手段を備え、前記表示制御手段は、前記複数の調整項目のうちユーザが登録した特定の表示グループの調整項目を表示することを特徴とする。
【発明の効果】
【０００８】
本発明によれば、ユーザに調整項目の設定値を容易に設定させることができる。
【図面の簡単な説明】
【０００９】
【図１】本発明の実施の形態に係る印刷制御装置を含む印刷システムの構成を概略的に示す構成図である。
【図２】図１の印刷装置のハードウェア構成を概略的に示すブロック図である。
【図３】図１の印刷制御装置の構成を概略的に示すブロック図である。
【図４】図１の表示装置に表示される画面の一例を示す図である。
【図５】図１の印刷装置によって実行されるデータ送信処理の手順を示すフローチャートである。
【図６】図３の用紙管理アプリケーションによって実行される表示制御処理の手順を示すフローチャートである。
【図７】図１の表示装置に表示される用紙設定画面の一例を示す図である。
【図８】図１の表示装置に表示される新規登録編集画面の一例を示す図である。
【図９】図１の表示装置に表示される後端部白抜け補正画面の一例を示す図である。
【図１０】図１の印刷制御装置によって実行されるお気に入り登録処理の手順を示すフローチャートである。
【図１１】お気に入り登録された調整項目の表示例を示す図である。
【図１２】図１０のお気に入り登録処理の変形例の手順を示すフローチャートである。
【発明を実施するための形態】
【００１０】
以下、本発明の実施の形態について図面を参照しながら詳述する。
【００１１】
図１は、本発明の実施の形態に係る印刷制御装置１０１を含む印刷システム１００の構成を概略的に示す構成図である。
【００１２】
図１において、印刷システム１００は、印刷制御装置１０１及び印刷装置１０２を備える。印刷制御装置１０１は、印刷装置１０２と画像ビデオケーブル１０３及び制御ケーブル１０４を介して接続されている。印刷システム１００は、クライアントコンピュータ１０５と通信可能に接続されている。具体的に、印刷システム１００の印刷制御装置１０１は、イーサネット(登録商標）ケーブル１０６を用いてＬＡＮ（Local Area Network）１０７に接続され、ＬＡＮ１０７を介してクライアントコンピュータ１０５と接続されている。印刷装置１０２は、ＬＡＮ１０７に直接接続されておらず、印刷制御装置１０１を介してクライアントコンピュータ１０５と通信を行う。なお、本実施の形態では、印刷装置１０２がＬＡＮ１０７に直接接続されていない構成について説明するが、印刷装置１０２がＬＡＮ１０７に直接接続されていても良い。
【００１３】
印刷制御装置１０１は、表示部１０８及び操作部１０９を備える。印刷制御装置１０１は、印刷装置１０２と連携して画像形成処理を行う。表示部１０８は、印刷制御装置１０１における各種情報を表示する。表示部１０８の表示領域は、比較的小さい。このため、表示部１０８には、印刷制御装置１０１の電源ＯＮ／ＯＦＦを指示するための情報や印刷制御装置１０１のＩＰアドレスといった印刷制御装置１０１を操作する上で必要最低限の情報のみが表示される。操作部１０９は、少なくとも１つのハードウェアキーで構成される。ユーザは、操作部１０９を操作して表示部１０８に表示されている情報に関する操作を行う。また、印刷制御装置１０１には、ユーザの操作性を向上するために、液晶モニタ等の表示装置１１０、キーボード１１１、及びポインティングデバイス１１２等が接続される。なお、表示装置１１０がタッチパッドのような位置入力機能を持ち、ポインティングデバイス１１２の機能を兼ねる構成であっても良い。
【００１４】
印刷装置１０２は、プリント機能、スキャン機能、及びコピー機能等の複数の機能を備える複合機である。印刷装置１０２は、スキャナ部１１３、操作部１１４、排紙部１１５、及び給紙部１１６を備える。印刷装置１０２は、クライアントコンピュータ１０５や印刷制御装置１０１から受けた指示に基づいて画像処理を実行する。印刷装置１０２は、スキャナ部１１３が読み込んだデータを印刷し、印刷済みの用紙を排紙部１１５に排紙する。また、印刷装置１０２は、スキャナ部１１３が読み込んだデータを共有フォルダへ送信する。操作部１１４は、ソフトウェアキー及びハードウェアキーで構成される。操作部１１４は、印刷ジョブやスキャンジョブの開始指示等を受け付ける。また、操作部１１４は、操作部１１４にジョブの状態等の各種情報を表示する。給紙部１１６は、複数、例えば、８つの給紙デッキ１１６ａ〜給紙デッキ１１６ｈを備える。なお、本実施の形態では、給紙部１１６に設けられる給紙デッキの個数は変更可能である。給紙デッキ１１６ａ〜給紙デッキ１１６ｈには、それぞれ印刷に使用する用紙が収納されている。クライアントコンピュータ１０５は、クライアントコンピュータ１０５にインストールされたアプリケーションを起動させて印刷システム１００に印刷指示を行う。
【００１５】
図２は、図１の印刷装置１０２のハードウェア構成を概略的に示すブロック図である。図２において、印刷装置１０２は、上述したスキャナ部１１３、操作部１１４、及び給紙部１１６の他に、コントローラ２００及びプリントエンジン２０７を備える。コントローラ２００は、スキャナ部１１３、操作部１１４、給紙部１１６、及びプリントエンジン２０７と接続されている。コントローラ２００は、ＣＰＵ２０１、ＲＡＭ２０２、ＲＯＭ２０３、操作部Ｉ／Ｆ２０４、ＬＡＮコントローラ２０５、印刷Ｉ／Ｆ２０６、及びＤＫＣ（Disk controller）２０８を備える。また、コントローラ２００は、記憶装置２０９、不揮発性メモリ２１０、読取Ｉ／Ｆ２１１、給紙デッキＩ／Ｆ２１２、及びビデオＩ／Ｆ２１３を備える。ＣＰＵ２０１、ＲＡＭ２０２、ＲＯＭ２０３、操作部Ｉ／Ｆ２０４、ＬＡＮコントローラ２０５、印刷Ｉ／Ｆ２０６、ＤＫＣ２０８、不揮発性メモリ２１０、読取Ｉ／Ｆ２１１、給紙デッキＩ／Ｆ２１２、及びビデオＩ／Ｆ２１３は、システムバス２１４を介して互いに接続されている。記憶装置２０９は、ＤＫＣ２０８と接続されている。
【００１６】
コントローラ２００は、印刷装置１０２全体を制御する。ＣＰＵ２０１は、ＲＯＭ２０３や記憶装置２０９に記憶された制御プログラムに基づいて、システムバス２１４に接続されるデバイスを制御する。例えば、ＣＰＵ２０１は、印刷Ｉ／Ｆ２０６を制御して、印刷Ｉ／Ｆ２０６に接続されるプリントエンジン２０７へ出力情報としての画像信号を送信する。また、ＣＰＵ２０１は、読取Ｉ／Ｆ２１１を制御して、読取Ｉ／Ｆ２１１に接続されるスキャナ部１１３から画像信号を受信する。ＲＡＭ２０２は、ＣＰＵ２０１の作業領域として、また、各データの一時格納領域として用いられる。ＲＯＭ２０３は、ＣＰＵ２０１が実行する制御プログラム等を格納する。操作部Ｉ／Ｆ２０４は、ユーザが操作部１１４に入力した情報をＣＰＵ２０１に出力する。ＬＡＮコントローラ２０５は、印刷制御装置１０１とのデータ通信を制御する。印刷Ｉ／Ｆ２０６は、プリントエンジン２０７とデータの送受信を行う。プリントエンジン２０７は、用紙に印刷を行う印刷処理を実行する。ＤＫＣ２０８は、記憶装置２０９へのアクセスを制御する。
【００１７】
記憶装置２０９は、例えば、ＨＤＤやＩＣカードである。記憶装置２０９は、アプリケーションプログラム、フォントデータ、フォームデータ、ジョブログ、及び画像ログ等を記憶する。また、記憶装置２０９は、プリントジョブを一時的にスプールし、スプールしたプリントジョブを外部から制御するためのジョブ格納領域として使用される。さらに、記憶装置２０９は、スキャナ部１１３から読み取った画像データやプリントジョブの画像データをＢＯＸデータとして保持する。ユーザは、ＢＯＸデータとして保持された画像データの一覧を印刷制御装置１０１から閲覧可能である。
【００１８】
不揮発性メモリ２１０は、操作部１１４や印刷制御装置１０１等から設定された設定情報を記憶する。読取Ｉ／Ｆ２１１は、スキャナ部１１３とデータの送受信を行う。給紙デッキＩ／Ｆ２１２は、開閉検知センサ（不図示）によって給紙デッキ１１６ａ〜給紙デッキ１１６ｈの開閉を検知し、給紙デッキ１１６ａ〜給紙デッキ１１６ｈの各々の用紙の積載状態の情報を管理する。ビデオＩ／Ｆ２１３は、印刷制御装置１０１から画像データを受信する。
【００１９】
図３は、図１の印刷制御装置１０１の構成を概略的に示すブロック図である。図３（ａ）は、印刷制御装置１０１のハードウェア構成を示す。図３（ｂ）は、印刷制御装置１０１のソフトウェア構成を示す。
【００２０】
図３（ａ）において、印刷制御装置１０１は、コントローラ３００を備える。コントローラ３００は、ＣＰＵ３０１、ＲＡＭ３０２、ＲＯＭ３０３、操作部Ｉ／Ｆ３０４、ＬＡＮコントローラ３０５，３０６、ＤＫＣ３０７、記憶装置３０８、及びビデオＩ／Ｆ３０９を備える。ＣＰＵ３０１、ＲＡＭ３０２、ＲＯＭ３０３、操作部Ｉ／Ｆ３０４、ＬＡＮコントローラ３０５，３０６、ＤＫＣ３０７、及びビデオＩ／Ｆ３０９は、システムバス３１０を介して互いに接続されている。記憶装置３０８は、ＤＫＣ３０７と接続されている。
【００２１】
コントローラ３００は、印刷制御装置１０１全体を制御する。ＣＰＵ３０１は、ＲＯＭ３０３や記憶装置３０８に記憶された制御プログラムに基づいて後述する図３（ｂ）のソフトウェアモジュール３１１を制御する。ＲＡＭ３０２は、ＣＰＵ３０１の作業領域として、また、各データの一時格納領域として用いられる。ＲＯＭ３０３は、ＣＰＵ３０１が実行する制御プログラム等を格納する。
【００２２】
操作部Ｉ／Ｆ３０４は、ユーザが操作部１０９で入力した情報を取得し、取得した情報に基づいて表示部１０８の表示を制御する。また、操作部Ｉ／Ｆ３０４は、印刷制御装置１０１に接続された表示装置１１０、キーボード１１１、及びポインティングデバイス１１２とデータの送受信を行う。例えば、操作部Ｉ／Ｆ３０４は、ユーザがキーボード１１１やポインティングデバイス１１２を用いて入力した情報を取得する。また、操作部Ｉ／Ｆ３０４は、ＣＰＵ３０１からの指示に基づいて操作部Ｉ／Ｆ３０４に設けられるビデオメモリにイメージデータを描画し、描画されたイメージデータをビデオ信号として表示装置１１０に出力する。
【００２３】
ＬＡＮコントローラ３０５は、印刷装置１０２とのデータ通信を制御する。ＬＡＮコントローラ３０６は、ＬＡＮ１０７を介して接続される装置、例えば、クライアントコンピュータ１０５とのデータ通信を制御する。ＤＫＣ３０７は、記憶装置３０８へのアクセスを制御する。記憶装置３０８は、例えば、ＨＤＤやＩＣカードである。記憶装置３０８は、アプリケーションプログラム、フォントデータ、及びフォームデータ等を記憶する。また、記憶装置３０８は、プリントジョブを一時的にスプールする。ビデオＩ／Ｆ３０９は、ＲＩＰ（Raster Image Processor）処理した画像データを印刷装置１０２へ送信する。
【００２４】
図３（ｂ）において、ソフトウェアモジュール３１１は、ＵＩ制御モジュール３１２、用紙管理モジュール３１３、給紙段管理モジュール３１４、ネットワーク制御モジュール３１５、ジョブ管理モジュール３１６、設定管理モジュール３１７、及び用紙管理アプリケーション３１８を備える。ソフトウェアモジュール３１１の各処理は、ＲＯＭ３０３や記憶装置３０８からＲＡＭ３０２に展開されたプログラムをＣＰＵ３０１が実行することによって行われる。
【００２５】
ＵＩ制御モジュール３１２は、表示装置１１０の表示を制御する。具体的に、ＵＩ制御モジュール３１２は、ジョブ管理モジュール３１６から取得した情報が示すプリントジョブの状態や給紙段管理モジュール３１４から取得した情報が示すデバイスの状態等を表す画像を生成する。ＵＩ制御モジュール３１２は、生成した画像を表示装置１１０に表示させる。用紙管理モジュール３１３は、印刷装置１０２のＨＤＤ２１１に記憶されている用紙情報と印刷制御装置１０１のＨＤＤ３０９に記憶されている用紙情報とを同期させて管理する。用紙情報の設定項目には、印刷装置１０２が印刷可能な用紙の種別を示す名称、サイズ、坪量といった基本項目、及び印刷条件に応じて設定値が調整されるプリントエンジン２０７の調整項目が含まれる。調整項目は、例えば、転写電圧、画像位置の調整、後端部白抜け補正等の多数の項目を含む。
【００２６】
給紙段管理モジュール３１４は、印刷装置１０２から取得した給紙デッキ情報を管理する。給紙デッキ情報は、例えば、オプションデッキ、手差しトレイ、長尺用紙トレイといった給紙デッキ１１６ａ〜給紙デッキ１１６ｈの各構成を示す情報や、給紙デッキ１１６ａ〜給紙デッキ１１６ｈの各々に収納されている用紙の種別を示す情報（以下、「用紙種別情報」という。）を含む。また、給紙段管理モジュール３１４は、印刷制御装置１０１で設定された給紙デッキ情報を印刷装置１０２に通知する。
【００２７】
ネットワーク制御モジュール３１５は、例えば、ＬＡＮコントローラ３０５を介した印刷装置１０２とのデータ通信を制御する。また、ネットワーク制御モジュール３１５は、ＬＡＮコントローラ３０６を介したクライアントコンピュータ１０５とのデータ通信を制御する。ジョブ管理モジュール３１６は、ＬＡＮコントローラ３０６を介して受信したプリントジョブの状態を監視する。また、ジョブ管理モジュール３１６は、プリントジョブの状態を示す情報をＵＩ制御モジュール３１２に出力する。設定管理モジュール３１７は、表示言語の設定等の用紙管理アプリケーション３１８全体の設定を管理する。用紙管理アプリケーション３１８は、印刷制御装置１０１が印刷装置１０２と連携して画像形成処理を行うためのアプリケーションであり、印刷制御装置１０１にインストールされている。用紙管理アプリケーション３１８は、例えば、プリントエンジン２０７の調整項目の設定値を設定するための図４（ａ）のＴｏｐ画面４０１を表示装置１１０に表示させる。Ｔｏｐ画面４０１は、表示領域４０２，４１４で構成される。表示領域４０２では、ユーザによるデバイスタブ４０３及び調整タブ４０４の選択に応じて表示内容が切り替わる。
【００２８】
ユーザがデバイスタブ４０３を選択した場合、表示領域４０２には、印刷装置１０２のハードウェアオプションの接続状況を示す図４（ａ）の接続状況画像４０５が表示される。ハードウェアオプションの接続状況の表示制御は、用紙管理アプリケーション３１８の起動時に印刷装置１０２から取得したハードウェアオプション情報に基づいて行われる。ハードウェアオプション情報は、印刷装置１０２に接続された給紙デッキやフィニッシャ等のオプションに関する情報である。図４（ａ）は、一例として、ＰＯＤデッキが重連し且つフィニッシャが接続されている状態を表す。表示領域４０２には、給紙デッキ１１６ａ〜給紙デッキ１１６ｈを表す給紙段ボタン４０６〜給紙段ボタン４１３が表示される。給紙段ボタン４０６〜給紙段ボタン４１３の表示制御は、用紙管理アプリケーション３１８の起動時に印刷装置１０２から取得した給紙デッキ情報に基づいて行われる。
【００２９】
ユーザが調整タブ４０４を選択した場合、表示領域４０２には、プリントエンジン２０７の各調整項目の設定画面に遷移するためのボタン群４１７が表示される（例えば、図４（ｂ）を参照。）。ユーザは、スライダーバー４１８を操作することで、表示領域４０２に表示されていない別の調整項目に対応するボタンを表示領域４０２に表示させることができる。
【００３０】
表示領域４１４には、印刷装置１０２から取得した用紙情報に基づいて印刷装置１０２が印刷可能な用紙の種別に関する一覧情報（以下、「用紙リスト」という。）が表示される。表示領域４１４における上下方向には、普通紙や両面コート紙といった用紙の種別情報が表示される。ユーザは、スライダーバー４１５を操作することで、表示領域４１４に表示されていない種別情報を閲覧可能である。また、表示領域４１４における左右方向には、用紙のサイズや秤量といった用紙の属性情報が表示される。ユーザは、スライダーバー４１６を操作することで、表示領域４１４に表示されていない属性情報を閲覧可能である。
【００３１】
図５は、図１の印刷装置１０２によって実行されるデータ送信処理の手順を示すフローチャートである。
【００３２】
図５の処理は、ＣＰＵ２０１がＲＯＭ２０３や記憶装置２０９からＲＡＭ２０２に展開されたプログラムを実行することによって行われる。図５の処理は、例えば、印刷装置１０２が起動した際に実行される。
【００３３】
図５において、まず、ＣＰＵ２０１は、記憶装置２０９に格納された印刷装置１０２の機器情報に基づいて印刷装置１０２の機種を示すモデル情報、ハードウェアオプション情報、及び給紙デッキ情報を生成する（ステップＳ５０１〜Ｓ５０３）。次いで、ＣＰＵ２０１は、印刷装置１０２が印刷可能な用紙の種別を示す名称、サイズ、坪量といった基本項目とプリントエンジン２０７の調整項目とで構成される用紙情報を生成する。具体的に、ＣＰＵ２０１は、基本項目の設定値を含む用紙基本情報を生成し（ステップＳ５０４）、プリントエンジン２０７の調整項目の設定値を含む調整値情報を生成する（ステップＳ５０５）。次いで、ＣＰＵ２０１は、印刷制御装置１０１からモデル情報の問合せを受信したか否かを判別する（ステップＳ５０６）。
【００３４】
ステップＳ５０６の判別の結果、印刷制御装置１０１からモデル情報の問合せを受信しないとき、ＣＰＵ２０１は、後述するステップＳ５０８の処理を行う。ステップＳ５０６の判別の結果、印刷制御装置１０１からモデル情報の問合せを受信したとき、ＣＰＵ２０１は、モデル情報を印刷制御装置１０１に送信する（ステップＳ５０７）。次いで、ＣＰＵ２０１は、印刷制御装置１０１からハードウェアオプション情報の問合せを受信したか否かを判別する（ステップＳ５０８）。
【００３５】
ステップＳ５０８の判別の結果、印刷制御装置１０１からハードウェアオプション情報の問合せを受信しないとき、ＣＰＵ２０１は、後述するステップＳ５１０の処理を行う。ステップＳ５０８の判別の結果、印刷制御装置１０１からハードウェアオプション情報の問合せを受信したとき、ＣＰＵ２０１は、ハードウェアオプション情報を印刷制御装置１０１に送信する（ステップＳ５０９）。次いで、ＣＰＵ２０１は、印刷制御装置１０１から給紙デッキ情報の問合せを受信したか否かを判別する（ステップＳ５１０）。
【００３６】
ステップＳ５１０の判別の結果、印刷制御装置１０１から給紙デッキ情報の問合せを受信しないとき、ＣＰＵ２０１は、後述するステップＳ５１２の処理を行う。ステップＳ５１０の判別の結果、印刷制御装置１０１から給紙デッキ情報の問合せを受信したとき、ＣＰＵ２０１は、給紙デッキ情報を印刷制御装置１０１に送信する（ステップＳ５１１）。次いで、ＣＰＵ２０１は、印刷制御装置１０１から用紙情報の問合せを受信したか否かを判別する（ステップＳ５１２）。
【００３７】
ステップＳ５１２の判別の結果、印刷制御装置１０１から用紙基本情報の問合せを受信しないとき、ＣＰＵ２０１は、後述するステップＳ５１４の処理を行う。ステップＳ５１２の判別の結果、印刷制御装置１０１から用紙基本情報の問合せを受信したとき、ＣＰＵ２０１は、用紙基本情報を印刷制御装置１０１に送信する（ステップＳ５１３）。次いで、ＣＰＵ２０１は、印刷制御装置１０１から調整値情報の問合せを受信したか否かを判別する（ステップＳ５１４）。
【００３８】
ステップＳ５１４の判別の結果、印刷制御装置１０１から調整値情報の問合せを受信しないとき、ＣＰＵ２０１は、ステップＳ５０６の処理に戻る。ステップＳ５１４の判別の結果、印刷制御装置１０１から調整値情報の問合せを受信したとき、ＣＰＵ２０１は、調整値情報を印刷制御装置１０１に送信し（ステップＳ５１５）、ステップＳ５０６の処理に戻る。
【００３９】
図６は、図３の用紙管理アプリケーション３１８によって実行される表示制御処理の手順を示すフローチャートである。
【００４０】
図６の処理は、ＣＰＵ３０１がＲＯＭ３０３や記憶装置３０８からＲＡＭ３０２に展開されたプログラムを実行することによって行われる。図６の処理は、例えば、用紙管理アプリケーション３１８が起動した際に実行される。用紙管理アプリケーション３１８が起動すると、印刷制御装置１０１は、印刷装置１０２にモデル情報の問合せを送信する。
【００４１】
図６において、用紙管理アプリケーション３１８は、上記問合せの応答としてモデル情報を印刷装置１０２から受信し、受信したモデル情報に基づいて印刷装置１０２の機種を判別する（ステップＳ６０１）。ステップＳ６０１の判別結果は、例えば、図４（ａ）に示すようなハードウェアオプションの接続状況の表示制御を行う際や、機種毎の仕様差を吸収する際に用いられる。次いで、用紙管理アプリケーション３１８は、印刷装置１０２にハードウェアオプション情報の問合せを送信する。当該問合せの応答としてハードウェアオプション情報を印刷装置１０２から受信すると、用紙管理アプリケーション３１８は、受信したハードウェアオプション情報に基づいて印刷装置１０２に接続されているハードウェアオプションを判別する（ステップＳ６０２）。ステップＳ６０２の判別結果は、例えば、図４（ａ）に示すようなハードウェアオプションの接続状況の表示制御を行う際、給紙デッキ情報を特定する際、機種毎の仕様差を吸収する際に用いられる。
【００４２】
次いで、用紙管理アプリケーション３１８は、印刷装置１０２に給紙デッキ情報の問合せを送信する。当該問合せの応答として給紙デッキ情報を印刷装置１０２から受信すると、用紙管理アプリケーション３１８は、受信した給紙デッキ情報に基づいて印刷装置１０２に接続されている給紙デッキを判別する（ステップＳ６０３）。また、用紙管理アプリケーション３１８は、印刷装置１０２に接続されている給紙デッキの個数を特定する。次いで、用紙管理アプリケーション３１８は、給紙デッキ情報から給紙デッキ１１６ａ〜給紙デッキ１１６ｈの各々の用紙種別情報を取得する（ステップＳ６０４）。
【００４３】
次いで、用紙管理アプリケーション３１８は、Ｔｏｐ画面４０１の給紙段ボタン４０６〜給紙段ボタン４１３に表示する給紙段ボタン情報を生成する（ステップＳ６０５）。次いで、用紙管理アプリケーション３１８は、印刷装置１０２に用紙基本情報の問合せを送信する。用紙管理アプリケーション３１８は、当該問合せの応答として用紙基本情報を印刷装置１０２から受信すると（ステップＳ６０６）、受信した用紙基本情報に基づいて表示領域４１４に表示される用紙リストを生成する（ステップＳ６０７）。次いで、用紙管理アプリケーション３１８は、印刷装置１０２に調整値情報の問合せを送信する。用紙管理アプリケーション３１８は、当該問合せの応答として調整値情報を印刷装置１０２から受信すると（ステップＳ６０８）、受信した調整値情報に基づいてボタン群４１７の各ボタンに表示する調整ボタン情報を生成する（ステップＳ６０９）。ステップＳ６０９では、対応する調整値が１つのみのボタンに対する調整ボタン情報として、当該調整値を示す文字列が生成される。一方、対応する調整値が複数のボタンに対する調整ボタン情報として、調整あり／調整なしといった文字列が生成される。
【００４４】
次いで、用紙管理アプリケーション３１８は、モデル情報、ハードウェアオプション情報、給紙段ボタン情報、用紙リスト、及び調整ボタン情報に基づいて接続状況画像４０５を生成し（ステップＳ６１０）、本処理を終了する。
【００４５】
なお、本実施の形態では、上述した図６の表示制御処理は、用紙管理アプリケーション３１８が起動した際に実行されることとして説明したが、上記表示制御処理は、用紙管理アプリケーション３１８の起動時以外の所定のタイミングで実行されても良い。
【００４６】
このようにして、印刷制御装置１０１では、Ｔｏｐ画面４０１の表示制御が行われる。ここで、ユーザがＴｏｐ画面４０１の接続状況画像４０５における給紙段ボタン４０６〜給紙段ボタン４１３の何れか、例えば、給紙段ボタン４０６を選択した場合、表示装置１１０には、図７の用紙設定画面７０１が表示される。用紙設定画面７０１は、給紙段ボタン４０６に対応する給紙デッキ１１６ａに収納される用紙に関する情報を設定するための画面である。用紙設定画面７０１は、用紙情報表示領域７０２、用紙リスト表示領域７０３、割り当てボタン７０４、用紙リスト更新ボタン７０５、閉じるボタン７０６、及び「その他の情報」ボタン７２８で構成される。
【００４７】
用紙情報表示領域７０２には、給紙デッキ１１６ａに収納されている用紙に関する情報が表示される。用紙リスト表示領域７０３には、用紙リスト７２１が表示される。ユーザが用紙リスト７２１の中から或る用紙に関する情報を選択すると、選択された用紙に関する情報が用紙情報表示領域７０２に表示される。
【００４８】
次に、用紙情報表示領域７０２の各入力項目について説明する。テキストフィールド７０７には、用紙の種別がユーザによって入力される。テキストフィールド７０８には、用紙の坪量が入力される。コンボボックス７０９では、用紙のサイズとして、予め登録された一覧の中から一つの設定値がユーザに選択される。コンボボックス７１０では、用紙の表面性情報として、予め登録された一覧の中から一つの設定値がユーザに選択される。コンボボックス７１１では、用紙の特徴情報として、予め登録された一覧の中から一つの設定値がユーザに選択される。コンボボックス７１２では、用紙の色情報として、予め登録された一覧の中から一つの設定値がユーザに選択される。コンボボックス７１３では、両面２面目情報として、予め登録された一覧の中から一つの設定値がユーザに選択される。コンボボックス７１４では、用紙のスキ目情報として、予め登録された一覧の中から一つの設定値がユーザに選択される。
【００４９】
調整項目表示領域７１５には、プリントエンジン２０７の調整項目が表示される。プリントエンジン２０７の調整項目は多数存在するので、調整項目表示領域７１５に全ての調整項目が収まらない。ユーザは、「その他の情報」ボタン７２８を選択して後述する図８の新規登録編集画面８０１を開くことで、調整項目表示領域７１５に表示されていない調整項目を閲覧可能である。設定項目ボタン７１６は、プリントエンジン２０７の調整項目の一つである画像位置に関する設定画面を表示するためのボタンである。設定項目ボタン７１６には、用紙情報表示領域７０２に設定された用紙に対する画像位置調整を実施済みであるか否かを示す情報が表示される。画像位置調整を実施済みである場合、設定項目ボタン７１６にはその旨を示す「調整あり」が表示される。一方、画像位置調整を未実施である場合、設定項目ボタン７１６にはその旨を示す「調整なし」が表示される。設定項目ボタン７１７は、プリントエンジン２０７の調整項目の一つであるカール補正に関する設定画面を表示するためのボタンである。設定項目ボタン７１８は、プリントエンジン２０７の調整項目の一つである中とじ位置に関する設定画面を表示するためのボタンである。設定項目ボタン７１８には、設定されている設定値がｍｍ単位で表示される。設定項目ボタン７１９は、プリントエンジン２０７の調整項目の一つである二次転写電圧に関する設定画面を表示するためのボタンである。設定項目ボタン７２０は、プリントエンジン２０７の調整項目の一つである後端部白抜け補正に関する設定画面を表示するためのボタンである。ユーザが用紙リスト更新ボタン７０５を選択すると、用紙リスト７２１でユーザが選択した情報、例えば、情報７２４に含まれる各設定値が用紙情報表示領域７０２に入力された設定値に更新される。
【００５０】
次に、用紙リスト表示領域７０３について説明する。用紙リスト表示領域７０３に表示された用紙リスト７２１の左右方向には、用紙の属性情報が表示される。ユーザは、スライダーバー７２２を操作することで、用紙リスト表示領域７０３に表示されていない属性情報を閲覧可能である。また、用紙リスト７２１の上下方向には、用紙の種別情報が表示される。ユーザは、スライダーバー７２３を操作することで、用紙リスト表示領域７０３に表示されていない種別情報を閲覧可能である。用紙リスト表示領域７０３において、用紙リスト７２１の中の或る用紙に関する情報、例えば、情報７２４が選択された状態でユーザが割り当てボタン７０４を選択すると、情報７２４が給紙デッキ１１６ａに収納された用紙に関する情報として設定される。
【００５１】
図８は、図１の表示装置１１０に表示される新規登録編集画面８０１の一例を示す図である。新規登録編集画面８０１は、ユーザが用紙設定画面７０１の「その他の情報」ボタン７２８を選択した際に表示装置１１０に表示される。若しくは、Ｔｏｐ画面４０１の表示領域４１４に表示される用紙リストに含まれる「新規登録」ボタン（不図示）が選択された際に表示装置１１０に表示される。新規登録編集画面８０１は、図８に示すように、複数の入力項目で構成される。テキストフィールド８０２には、用紙の種別を示す名称がユーザによって入力される。テキストフィールド８０３には、用紙の坪量がユーザによって入力される。コンボボックス８０４では、用紙の色情報として、予め登録された一覧の中から一つの設定値がユーザに選択される。コンボボックス８０５では、表面性情報として、予め登録された一覧の中から一つの設定値がユーザに選択される。
【００５２】
コンボボックス８０６では、用紙のサイズ情報として、予め登録された一覧の中から一つの設定値がユーザに選択される。コンボボックス８０６において、ユーザが「カスタムサイズ」を選択すると、「ｍｍ」ボタン８０７、「インチ」ボタン８０８、テキストフィールド８０９、及びテキストフィールド８１０が操作可能になる。「ｍｍ」ボタン８０７が選択された場合、テキストフィールド８０９，８１０に入力された設定値がｍｍ単位で設定される。「インチ」ボタン８０８が選択された場合、テキストフィールド８０９，８１０に入力された設定値がインチ単位で設定される。テキストフィールド８０９に入力される設定値は、用紙イメージ８２５のＸ方向の長さである。テキストフィールド８１０に入力される設定値は、用紙イメージ８２５のＹ方向の長さである。
【００５３】
コンボボックス８１１では、用紙の特徴情報として、予め登録された一覧の中から一つの設定値がユーザに選択される。コンボボックス８１２では、用紙のスキ目情報として、予め登録された一覧の中から一つの設定値がユーザに選択される。ラジオボタン８１３では、両面２面目情報の設定値が設定される。チェックボックス８１４では、新規登録編集画面８０１で設定された用紙をお気に入り登録するか否かが設定される。登録編集ボタン８１５は、登録編集画面（不図示）を開くためのボタンである。ユーザは、登録編集画面から新たなお気に入り項目を追加することやお気に入りに使用するアイコンを設定することが可能である。
【００５４】
調整項目選択欄８１６には、調整項目の一覧が表示される。調整項目８１７には、各調整項目の名称が表示される。調整あり／なし８１８には、各調整項目が調整済みであるか否かを示す情報が表示される。例えば、設定値が初期値から変更された調整項目や、設定値が所定の期間内に変更された調整項目に対し、調整済みである旨を示す「調整あり」が表示される。一方、上述した何れにも該当しない調整項目に対し、調整済みでない旨を示す「調整なし」が表示される。表示グループ８１９には、各調整項目が分類された表示グループの名称が表示される。各調整項目は、その属性に基づいて、例えば、画質、画像位置、用紙搬送、カール補正、及び仕上げ処理の何れかの表示グループに分類される。ユーザは、コンボボックス８２０で上述した何れかの表示グループを選択することで、調整項目選択欄８１６をフィルタリング可能である。例えば、コンボボックス８２０で「画像位置」が選択された場合、複数の調整項目のうち「画像位置」の表示グループに属する「画像位置調整」、「先端／後端余白調整」、及び「二次転写ベルトの速度調整」のみが調整項目選択欄８１６に表示される。なお、フィルタリングされた一部の調整項目が調整項目選択欄８１６に収まらない場合、ユーザは、スライダーバー８２１，８２２を操作することで、調整項目選択欄８１６に収まらなかった調整項目を閲覧可能である。
【００５５】
調整項目選択欄８１６において、一覧の中から或る調整項目が選択された場合、選択された調整項目の設定値が表示欄８２６に表示される。例えば、図８に示すように、調整項目選択欄８１６において「後端部白抜け補正」が選択された場合、「後端部白抜け補正」の設定値が表示欄８２６に表示される。この状態で、ユーザが表示欄８２６の編集ボタン８２７を選択すると、後述する図９の後端部白抜け補正画面９０１が表示装置１１０に表示される。
【００５６】
ユーザがＯＫボタン８２３を選択すると、新規登録編集画面８０１で設定された設定値に基づいて印刷制御装置１０１及び印刷装置１０２の各々が管理する用紙情報が更新され、当該用紙情報に基づいて表示領域４１４に表示される用紙リストも更新される。一方、ユーザがキャンセルボタン８２４を選択すると、上記用紙情報が更新されることなく、新規登録編集画面８０１が閉じる。
【００５７】
図９は、図１の表示装置１１０に表示される後端部白抜け補正画面９０１の一例を示す図である。後端部白抜け補正画面９０１は、ユーザが用紙設定画面７０１の設定項目ボタン７２０又は新規登録編集画面８０１の編集ボタン８２７を選択した際に表示装置１１０に表示される。
【００５８】
後端部白抜け補正画面９０１は、後端部白抜け補正領域９０２及びテストページ出力領域９０３で構成される。後端部白抜け補正領域９０２では、後端部白抜け補正に関する設定値として、用紙の各面に対する補正レベル及び補正量が設定される。例えば、ユーザは、「−」ボタン９０６及び「＋」ボタン９０７を用いて、テキストボックス９０４に表示された用紙の表面に対する補正レベルを設定する。ユーザは、補足情報９１０が示す範囲で補正レベルを調整可能である。また、ユーザは、「−」ボタン９０８及び「＋」ボタン９０９を用いて、テキストボックス９０５に表示された用紙の表面に対する補正量を設定する。ユーザは、補足情報９１１が示す範囲で補正量を調整可能である。
【００５９】
テストページ出力領域９０３では、後端部白抜け補正領域９０２で設定された設定値が適切であるか否かを確認するためのテストページ印刷に関する情報が設定される。
【００６０】
コンボボックス９１２では、「サンプルページ」及び「任意のＰＤＦファイル」の何れか一方が選択される。「サンプルページ」が選択された場合、ＣＰＵ３０１は、印刷装置１０２に対し、後端部白抜け補正領域９０２で設定された設定値に基づいてＲＡＭ３０２に格納されたテストページを印刷するように指示する。一方、「任意のＰＤＦファイル」が選択された場合、後端部白抜け補正画面９０１では、テキストボックス９１３及び「参照…」ボタン９１４が操作可能となる。ユーザが「参照…」ボタン９１４を選択すると、ＰＤＦファイルを選択するためのダイアログ（不図示）が開く。なお、本実施の形態では、ユーザが選択可能なファイル形式はＰＤＦに限られず、他の形式のファイルであっても良い。テキストボックス９１５には、後端部白抜け補正領域９０２で設定された設定値でテストページ印刷を行う際に使用される給紙デッキを示す情報が表示される。ユーザが「プリント」ボタン９１６を選択すると、ＣＰＵ３０１は、印刷装置１０２にテストページ印刷の開始を指示する。ユーザがＯＫボタン９１７を選択すると、後端部白抜け補正領域９０２で設定された設定値に基づいて用紙情報が更新され、後端部白抜け補正画面９０１が閉じる。ユーザがキャンセルボタン９１８を選択すると、用紙情報が更新されることなく、後端部白抜け補正画面９０１が閉じる。ユーザが適用ボタン９１９を選択すると、後端部白抜け補正領域９０２で設定された設定値に基づいて用紙情報が更新され、後端部白抜け補正画面９０１の表示が継続される。ユーザは継続して後端部白抜け補正画面９０１で設定値の変更やテストページ印刷の開始を指示可能である。
【００６１】
チェックボックス９２０では、後端部白抜け補正をお気に入り登録するか否かが設定される。ユーザは、登録編集ボタン９２１を選択することで表示されるお気に入り設定画面（不図示）からお気に入り登録に関する詳細情報を設定することができる。例えば、ユーザは、お気に入り設定画面からお気に入りの名称や、「ジョブＡ用」、「ジョブＢ用」といった複数のお気に入りグループの中の何れのグループに登録するかを設定する。なお、本実施の形態では、調整項目の設定画面の一例として後端部白抜け補正画面９０１について説明したが、他の調整項目の設定画面にも、少なくともチェックボックス９２０及び登録編集ボタン９２１が設けられる。すなわち、本実施の形態では、ユーザは各調整項目の設定画面から当該調整項目のお気に入り登録を実施可能である。
【００６２】
図１０は、図３の用紙管理アプリケーション３１８によって実行されるお気に入り登録処理の手順を示すフローチャートである。図１０の処理は、ＲＯＭ３０３や記憶装置３０８からＲＡＭ３０２に展開されたプログラムをＣＰＵ３０１が実行することによって行われる。図１０の処理は、上述した「その他の情報」ボタン７２８の選択や表示領域４１４に表示される用紙リストに含まれる「新規登録」ボタンの選択等のユーザによる新規登録編集画面８０１の表示指示を受け付けた際に実行される。
【００６３】
図１０において、まず、用紙管理アプリケーション３１８は、受け付けた表示指示に応じて新規登録編集画面８０１を表示装置１１０に表示させる（ステップＳ１００１）。その後、調整項目選択欄８１６に表示された一覧の中から一つの調整項目が選択された状態でユーザが編集ボタン８２７を選択すると、用紙管理アプリケーション３１８は、選択された調整項目（以下、「選択調整項目」という。）の設定画面を表示装置１１０に表示させる（ステップＳ１００２）。ステップＳ１００２では、例えば、一覧の中から「後端部白抜け補正」が選択された状態でユーザが編集ボタン８２７を選択した場合、用紙管理アプリケーション３１８は、後端部白抜け補正画面９０１を表示装置１１０に表示させる。次いで、用紙管理アプリケーション３１８は、選択調整項目をお気に入り登録するか否かを判別する（ステップＳ１００３）。ステップＳ１００３では、例えば、表示装置１１０に表示された後端部白抜け補正画面９０１においてチェックボックス９２０がチェックされた状態でユーザがＯＫボタン９１７を選択した場合、用紙管理アプリケーション３１８は、選択調整項目をお気に入り登録すると判別する。一方、チェックボックス９２０がチェックされない状態でユーザがＯＫボタン９１７を選択した場合、用紙管理アプリケーション３１８は、選択調整項目をお気に入り登録しないと判別する。なお、後端部白抜け補正画面９０１のＯＫボタン９１７が選択されると、表示装置１１０において後端部白抜け補正画面９０１が新規登録編集画面８０１に切り替わる。
【００６４】
ステップＳ１００３の判別の結果、選択調整項目をお気に入り登録しないとき、用紙管理アプリケーション３１８は、後述するステップＳ１００６の処理を行う。ステップＳ１００３の判別の結果、選択調整項目をお気に入り登録するとき、用紙管理アプリケーション３１８は、選択調整項目の表示グループを示す調整属性情報を更新する（ステップＳ１００４）。次いで、用紙管理アプリケーション３１８は、更新した調整属性情報に基づいて調整項目選択欄８１６における選択調整項目の表示グループ８１９を更新する（ステップＳ１００５）。ステップＳ１００５では、調整項目選択欄８１６における選択調整項目の表示グループ８１９に「お気に入り」の文字列が追加される。例えば、選択調整項目が「後端部白抜け補正」である場合、「後端部白抜け補正」の表示グループ８１９が「画質／お気に入り」として表示される。このとき、コンボボックス８２０において「お気に入り」の項目が追加される。これにより、ステップＳ１００５の処理以降、表示装置１１０に新規登録編集画面８０１が表示された際に調整項目選択欄８１６における表示を「お気に入り」でフィルタリング可能となる。ユーザがコンボボックス８２０で「お気に入り」を選択すると、例えば、図１１に示すように、調整項目選択欄８１６において表示グループ８１９に「お気に入り」の文字列を含む調整項目のみが表示される。すなわち、本実施の形態では、調整項目選択欄８１６において複数の調整項目の中からユーザに調整項目を選択させる際にお気に入り登録された調整項目が調整項目選択欄８１６に表示される。次いで、用紙管理アプリケーション３１８は、新規登録編集画面８０１を閉じ（ステップＳ１００６）、本処理を終了する。
【００６５】
上述した実施の形態によれば、プリントエンジン２０７に関する複数の調整項目のうちお気に入り登録された調整項目が表示される。これにより、ユーザが多数の調整項目の中から所望の調整項目を選択する必要をなくすことができ、もって、ユーザに調整項目の設定値を容易に設定させることができる。
【００６６】
また、上述した実施の形態では、複数の調整項目の中からユーザに調整項目を選択させる際にお気に入り登録された調整項目が表示される。これにより、ユーザに所望の調整項目を容易に選択させることができる。
【００６７】
以上、本発明について、上述した実施の形態を用いて説明したが、本発明は上述した実施の形態に限定されるものではない。例えば、調整項目のうちお気に入り登録された調整項目を用紙設定画面７０１の調整項目表示領域７１５に表示しても良い。
【００６８】
上述した実施の形態では、用紙設定画面７０１から新規登録編集画面８０１を開き、新規登録編集画面８０１の調整項目選択欄８１６から調整項目を選択して当該調整項目の設定画面を開く必要がある。一方、印刷制御装置１０１では、新規登録編集画面８０１を開かなくても、用紙設定画面７０１の調整項目表示領域７１５に表示される設定項目ボタンをユーザが選択することで、調整項目の設定画面が表示装置１１０に表示される。調整項目の設定に関するユーザの操作性を向上する観点で、調整項目の表示に関するお気に入り機能を新規登録編集画面８０１の調整項目選択欄８１６以外、具体的に、用紙設定画面７０１にも適用できるのが好ましい。
【００６９】
これに対応して、本実施の形態では、調整項目のうちお気に入り登録された調整項目が用紙設定画面７０１の調整項目表示領域７１５に表示される。
【００７０】
図１２は、図１０のお気に入り登録処理の変形例の手順を示すフローチャートである。図１２の処理も、図１０の処理と同様に、ＲＯＭ３０３や記憶装置３０８からＲＡＭ３０２に展開されたプログラムをＣＰＵ３０１が実行することによって行われる。図１２の処理は、図１０の処理と同様に、上述した「その他の情報」ボタン７２８の選択や表示領域４１４に表示される用紙リストに含まれる「新規登録」ボタンの選択等のユーザによる新規登録編集画面８０１の表示指示を受け付けた際に実行される。
【００７１】
図１２において、用紙管理アプリケーション３１８は、ステップＳ１００１〜ステップＳ１００５の処理を行う。次いで、用紙管理アプリケーション３１８は、調整項目表示領域７１５に表示される調整項目を更新する（ステップＳ１２０１）。ステップＳ１２０１では、例えば、調整項目表示領域７１５に表示される調整項目を管理する管理情報が記憶装置３０８に格納され、お気に入り登録された調整項目を当該管理情報に追加する。次いで、用紙管理アプリケーション３１８は、ステップＳ１００６の処理を行う。次いで、用紙管理アプリケーション３１８は、用紙設定画面７０１の表示指示を受け付けるまで待機する。用紙設定画面７０１の表示指示を受け付けると、用紙管理アプリケーション３１８は、上記管理情報に基づいて用紙設定画面７０１を表示装置１１０に表示させる（ステップＳ１２０２）。調整項目表示領域７１５には、お気に入り登録された調整項目が表示される。なお、本実施の形態では、調整項目の設定に関するユーザの操作性を向上する観点で、調整項目表示領域７１５にお気に入り登録された調整項目のみが表示されるのが好ましいが、ユーザの操作性を損なわない範囲で、お気に入り登録された調整項目以外の他の調整項目が調整項目表示領域７１５に表示されても良い。次いで、用紙管理アプリケーション３１８は、本処理を終了する。
【００７２】
上述した実施の形態では、新規登録編集画面８０１への切り替えを指示するための「その他の情報」ボタン７２８を備える用紙設定画面７０１にお気に入り登録された調整項目が表示される。これにより、ユーザは新規登録編集画面８０１を開くための操作を行うことなく調整項目の設定画面を表示装置１１０に表示させることができ、もって、ユーザに調整項目の設定値をより容易に設定させることができる。
【００７３】
また、上述した実施の形態では、用紙設定画面７０１は、印刷に使用する用紙を給紙する給紙デッキ１１６ａ〜給紙デッキ１１６ｈの設定画面である。これにより、給紙デッキ１１６ａ〜給紙デッキ１１６ｈの設定時にユーザに調整項目を容易に設定させることができる。
【００７４】
上述した実施の形態では、給紙部１１６は上述した構成に限られず、例えば、インサータや手差しトレイを備える構成であっても良い。
【００７５】
また、上述した実施の形態では、上述した図４、図７〜図９、図１１の各画面が印刷制御装置１０１の表示装置１１０に表示される場合について説明したが、上述した各画面が表示装置１１０より表示領域が小さい印刷装置１０２の操作部１１４に表示されても良い。このとき、印刷制御装置１０１ではなく、印刷装置１０２が図６、図１０、図１１の処理を実行しても良い。これにより、表示装置１１０より表示領域が小さい操作部１１４を備える印刷装置１０２において、ユーザに調整項目の設定値を容易に設定させることができる。
【００７６】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００７７】
１０１  印刷制御装置
１０２  印刷装置
１１６  給紙部
１１６ａ〜１１６ｈ  給紙デッキ
２０７  プリントエンジン
３１８  用紙管理アプリケーション
７０１  用紙設定画面
７２８  「その他の情報」ボタン
８０１  新規登録編集画面
【図１】
2020111019.tif 000003
【図２】
2020111019.tif 000004
【図３】
2020111019.tif 000005
【図４】
2020111019.tif 000006
【図５】
2020111019.tif 000007
【図６】
2020111019.tif 000008
【図７】
2020111019.tif 000009
【図８】
2020111019.tif 000010
【図９】
2020111019.tif 000011
【図１０】
2020111019.tif 000012
【図１１】
2020111019.tif 000013
【図１２】
2020111019.tif 000014